(57)【特許請求の範囲】
【請求項１】
第１のポート及び第２のポートを含むハウジングと、
前記第１のポート及び前記第２のポートを通る流体の流れを制御するために構成される摺動可能なカバーと、
を備えるバルブであって、
前記摺動可能なカバーは、前記第１のポート及び前記第２のポート上に摺動可能に配置され、前記摺動可能なカバーは、
流体流チャネルが前記第１のポート及び前記第２のポート上に配置される場合、前記流体が前記第１及び前記第２のポートを通って流れることを可能にするように構成された前記流体流チャネルを含み、
前記流体流チャネルが前記ハウジングの前記第１のポート及び前記第２のポート上に配置される場合、前記流体は、前記ハウジングの外面上を流れるように前記バルブが配置され、前記摺動可能なカバーは、輸液ポンプのドアと機械的に係合するように更に構成される、
バルブ。
【請求項２】
前記摺動可能なカバーは、前記ハウジングに対して摺動するように構成される、請求項１に記載のバルブ。
【請求項３】
前記摺動可能なカバーは、前記第１のポート及び前記第２のポートに対して摺動するように構成される、請求項１に記載のバルブ。
【請求項４】
前記摺動可能なカバーは、
前記摺動可能なカバーから突出するハンドル
を含む、請求項１に記載のバルブ。
【請求項５】
前記バルブを管に接続するための接続インタフェース
を更に備える、請求項１に記載のバルブ。
【請求項６】
前記流体の流量を制御することを支援するように構成された目盛りマーク
を更に備える、請求項１に記載のバルブ。
【請求項７】
前記摺動可能なカバーをロックするように構成されたロック機構
を更に備える、請求項１に記載のバルブ。
【請求項８】
前記摺動可能なカバーは、前記流体流チャネルが前記第１のポート及び前記第２のポート上に配置されない場合、前記流体が前記第１のポート及び前記第２のポートを通って流れることを可能にしないように更に構成される、請求項１に記載のバルブ。
【請求項９】
医療環境において流体を送り出すために構成されたポンプと、
前記流体の搬送のために構成された管と、
ポンプ・ハウジング内に配置され、前記管を挟むことを必要とせずに前記流体の流れを制御するように構成された非ピンチ・バルブと、
を備える、非ピンチ・バルブ・システムであって、
前記管は、前記非ピンチ・バルブに着脱可能に取り付けられ、前記非ピンチ・バルブは、
前記第１のポート及び前記第２のポートを含むハウジングと、
前記ハウジング内に移動可能に配置される移動可能なチャネルであって、流体が前記第１のポートと前記第２のポートとの間で流れることを可能にするように構成される、移動可能なチャネルとを含み、
前記第１のポート、前記第２のポート、及び前記移動可能なチャネルは、前記流体が前記第１のポートと前記第２のポートとの間を流れるように、前記非ピンチ・バルブが配置される場合、同軸的ではない、非ピンチ・バルブ・システム。
【請求項１０】
前記ポンプは、
輸液ポンプ
を含む、請求項９に記載の非ピンチ・バルブ・システム。
【請求項１１】
前記ハウジングは、円柱状である、請求項９に記載の非ピンチ・バルブ・システム。
【請求項１２】
前記非ピンチ・バルブは、
前記ポンプのドアと機械的に係合するように構成されたハンドル
を更に備える、請求項９に記載の非ピンチ・バルブ・システム。
【請求項１３】
前記移動可能なチャネルは、前記第１のポート及び前記第２のポートに対して回転する、請求項９に記載の非ピンチ・バルブ・システム。
【請求項１４】
医療環境において流体を送り出すために構成されたポンプと、
前記流体の搬送のために構成された管と、
ポンプ・ハウジングに配置され、前記管を挟むことを必要とせずに前記流体の流れを制御するように構成された非ピンチ・バルブと、
を備える、非ピンチ・バルブ・システムであって、前記管は、前記非ピンチ・バルブに着脱可能に取り付けられ、前記非ピンチ・バルブは、
第１のポート及び第２のポートを含むハウジングと、
前記第１のポート及び前記第２のポートを通る流体の流れを制御するために構成された摺動可能なカバーとを備え、前記摺動可能なカバーは、前記第１のポート及び前記第２のポート上に摺動可能に配置され、前記摺動可能なカバーは、
流体流チャネルが前記第１のポート及び前記第２のポート上に配置される場合、前記流体が前記第１及び前記第２のポートを通って流れることを可能にするように構成された前記流体流チャネル
を含み、
前記流体流チャネルが前記ハウジングの前記第１のポート及び前記第２のポート上に配置される場合、前記流体は、前記ハウジングの外面上を流れるように前記非ピンチ・バルブが配置される、
非ピンチ・バルブ・システム。
【請求項１５】
前記非ピンチ・バルブは、
前記ポンプのドアと機械的に係合するように構成されたハンドル
を更に備える、請求項１４に記載の非ピンチ・バルブ・システム。
【請求項１６】
第１の遠位端及び第２の遠位端を含むポンプ・セグメント・フレームであって、ポンプ・セグメントが伸長することを防止するために前記ポンプ・セグメントが前記第１の遠位端及び前記第２の遠位端に取り付けられる、ポンプ・セグメント・フレームと、
ポンプのハウジング内での前記ポンプ・セグメント・フレームの適切な設置を容易にするために構成された視覚設置インジケータと、
を備える、医療用ポンプ・セグメント・フレーム・システム。
【請求項１７】
前記第１の遠位端に配置される止水栓
を更に備える、請求項１６に記載の医療用ポンプ・セグメント・フレーム・システム。
【請求項１８】
前記第１の遠位端に配置され、並びに、前記ハウジング内に配置され、及び管を挟むことを必要とせずに流体の流れを制御するように構成された非ピンチ・バルブを更に備え、前記管は、前記非ピンチ・バルブに着脱可能に取り付けられる、
請求項１６に記載の医療用ポンプ・セグメント・フレーム・システム。
【請求項１９】
前記ポンプ・セグメント・フレームの前記第１の遠位端と前記第２の遠位端との間に配置されるポンプ・プラテン
を更に備える、請求項１６に記載の医療用ポンプ・セグメント・フレーム・システム。
【請求項２０】
前記ポンプ・セグメント・フレームは、バルブ・ハウジングとバルブ・ハンドルとの間に配置される、請求項１６に記載の医療用ポンプ・セグメント・フレーム・システム。
【請求項２１】
前記ポンプ・セグメントの第１の遠位端を受けるように構成された第１のポンプ・セグメント・インタフェースと、
前記ポンプ・セグメントの第２の遠位端を受けるように構成された第２のポンプ・セグメント・インタフェースと、
を更に備える、請求項１６に記載の医療用ポンプ・セグメント・フレーム・システム。
【請求項２２】
前記ポンプの動作期間中に前記ポンプ・セグメントを見るために構成されたポンプ・セグメント・ビュー・ウィンドウ
を更に備える、請求項１６に記載の医療用ポンプ・セグメント・フレーム・システム。
【請求項２３】
前記視覚設置インジケータは、
前記ハウジング内の凹部に対応する突出部
を含む、請求項１６に記載の医療用ポンプ・セグメント・フレーム・システム。
【請求項２４】
医療環境において流体を送り出すために構成されたポンプであって、前記ポンプのハウジング内へのアクセスのためのドアを含むポンプと、
前記ポンプによって生成されるポンプ・セグメントの圧縮に基づいて前記流体を搬送するために構成された前記ポンプ・セグメントと、
ポンプ・セグメント・フレームであって、
第１の遠位端及び第２の遠位端、及び、
前記ハウジング内の前記ポンプ・セグメント・フレームの適切な設置を容易にするために構成された視覚設置インジケータ
を含み、前記ポンプ・セグメントが伸長することを防止するために前記ポンプ・セグメントが前記第１の遠位端及び前記第２の遠位端に取り付けられる、ポンプ・セグメント・フレームと、
前記ハウジング内に配置され、管を挟むことを必要とせずに前記流体の流れを制御するように構成された非ピンチ・バルブと、
を備える、ポンプ・システム。
【請求項２５】
前記ポンプは、
輸液ポンプ
を含む、請求項２４に記載のポンプ・システム。
【請求項２６】
前記非ピンチ・バルブは、前記ドアが閉鎖位置にある場合、開放位置へと作動される、請求項２４に記載のポンプ・システム。
【請求項２７】
前記非ピンチ・バルブは、前記ドアが開放位置にある場合、閉鎖位置へと作動される、請求項２４に記載のポンプ・システム。
【請求項２８】
前記非ピンチ・バルブは、
第１のポート及び前記第２のポートを含むハウジングと、
前記ハウジング内に移動可能に配置される移動可能なチャネルと、
を更に含み、前記移動可能なチャネルは、流体が前記第１のポートと前記第２のポートとの間で流れることを可能にするように構成される、請求項２４に記載のポンプ・システム。
【請求項２９】
前記非ピンチ・バルブは、
第１のポート及び前記第２のポートを含むハウジングと、
前記第１のポート及び前記第２のポートを通る流体の流れを制御するために構成された摺動可能なカバーとを更に含み、前記摺動可能なカバーは、前記第１のポート及び前記第２のポート上に摺動可能に配置され、前記摺動可能なカバーは、
流体流チャネルが前記第１のポート及び前記第２のポート上に配置される場合、前記流体が前記第１及び前記第２のポートを通って流れることを可能にするように構成された前記流体流チャネルを含む、請求項２４に記載のポンプ・システム。
【請求項３０】
前記摺動可能なカバーは、前記第１のポート及び前記第２のポートに対して回転するように更に構成される、請求項２９に記載のポンプ・システム。
【請求項３１】
前記摺動可能なカバーをロックするように構成されたロック機構
を更に備える、請求項２９に記載のポンプ・システム。
【請求項３２】
前記流体の流量を制御することを支援するように構成された目盛りマーク
を更に備える、請求項２４に記載のポンプ・システム。
【請求項３３】
前記ポンプ・セグメント・フレームは、
前記ポンプ・セグメント・フレームの前記第１の遠位端と前記第２の遠位端との間に配置されるポンプ・プラテン
を更に含む、請求項２４に記載のポンプ・システム。
【請求項３４】
前記ポンプ・セグメント・フレームは、
前記ポンプの動作期間中に前記ポンプ・セグメントを見るために構成されたポンプ・セグメント・ビュー・ウィンドウ
を更に含む、請求項２４に記載のポンプ・システム。
【請求項３５】
前記非ピンチ・バルブは、前記ポンプ・セグメント・フレームの前記第１の遠位端に配置される、請求項２４に記載のポンプ・システム。
【発明の詳細な説明】
【技術分野】
【０００１】
本出願は、２０１２年６月１５日に出願した米国出願第１３／５２５，２０５号の優先権を主張するものである。
【背景技術】
【０００２】
輸液ポンプなどの医療用ポンプ・システムの流体流を、静注器具（ＩＶ：ｉｎｔｒａｖｅｎｏｕｓ）管をクランプすることによって制御することは、医療用ポンプ・システムの動作に有害な影響を及ぼすことがあり得る。ローラー・クランプ、スクリュー・クランプ、スライド・クランプなどのクランプ機構は、管を圧縮して流体流を制御する。例えば、スライド・クランプは、管が通過する徐々に大きくなる開口部を有する。管を開口部の狭い端部へ押し込むことにより、管が圧縮され、管を通る流体流の流量が低減される。対照的に、開口部の広い端部へ向かって摺動させることにより、管の圧縮力が減少され、従って、管を通る流量が増加される。また、管は、クランプ機構が管に継続的に圧力を加えた状態で出荷され、及び／又は長期間保管され得る。
【発明の概要】
【発明が解決しようとする課題】
【０００３】
管の圧縮の結果として、管は、損傷され、及び／又は変形され得る。例えば、管は、恒久的に変形され、従って、流体流を制限する。
【０００４】
更に、臨床医は、ポンプ・ハウジングから部品を不適切に取り外し／挿入し得る。例えば、臨床医にとって、ある部品（例えば、クランプ装置、ポンプ・セグメント等）がポンプ・ハウジング内のどこに設置されるべきかを視覚的に決定することは困難なことがある。結果として、臨床医は、ポンプ動作に悪影響を与える誤った位置に部品を設置し得る。
【図面の簡単な説明】
【０００５】
【図１Ａ】ポンプ・システムの実施例を例示する図である。
【図１Ｂ】ポンプ・システムの実施例を例示する図である。
【図２Ａ】非ピンチ・バルブの実施例を例示する図である。
【図２Ｂ】非ピンチ・バルブの実施例を例示する図である。
【図２Ｃ】非ピンチ・バルブの実施例を例示する図である。
【図２Ｄ】非ピンチ・バルブの実施例を例示する図である。
【図２Ｅ】非ピンチ・バルブの実施例を例示する図である。
【図３Ａ】非ピンチ・バルブの実施例を例示する図である。
【図３Ｂ】非ピンチ・バルブの実施例を例示する図である。
【図４Ａ】非ピンチ・バルブの実施例を例示する図である。
【図４Ｂ】非ピンチ・バルブの実施例を例示する図である。
【図４Ｃ】非ピンチ・バルブの実施例を例示する図である。
【図５】ポンプ・セグメント・フレーム・システムの実施例を例示する図である。
【図６】ポンプ・セグメント・フレーム・システムの実施例を例示する図である。
【図７】流体流を制御するための方法の実施例を例示する図である。
【発明を実施するための形態】
【０００６】
本明細書において参照される図面は、特に断りのある場合を除いて、縮尺に合わせて描かれていないものと理解されるべきである。
【０００７】
ここで、本技術の実施例への参照が詳細になされることとなり、その実例は、添付の図面に例示される。本技術は、様々な実施例と共に説明されることとなるが、当該実施例は、本技術をこれらの実施例に限定することを意図されないことが理解されるであろう。それどころか、本技術は、添付の特許請求の範囲によって定義されるような様々な実施例の範囲内に含まれ得る代替例、変形例及び均等物に及ぶことが意図される。
【０００８】
更に、実施例の下記の説明において、本技術の完全な理解を提供するために、多数の具体的な詳細が述べられる。しかしながら、本技術は、これらの具体的な詳細なしに実施され得る。他の場合において、周知の方法、手続き、部品、及び回路は、本実施例の態様を不必要に曖昧にしないように、詳細には説明されていない。
【０００９】
図１Ａは、ポンプ・システム１００の実施例を図示する。ポンプ・システム１００は、ポンプ１１０と、管１２０及び１２１とを含む。一般に、ポンプ・システム１００の動作期間中に、流体は、流体流１２５によって示されるように、管１２０及び１２１を通って送り出される。一実施例において、流体流１２５は、反対方向へ送り出されてもよい。
【００１０】
ポンプ１１０は、ハウジング１１５と、ドア１１９と、ユーザインタフェース１１７とを含む。一実施例において、ポンプ１１０は、輸液ポンプである。例えば、静脈（ＩＶ）バッグ（図示せず）からの流体は、流体流１２５によって示されるように、患者（図示せず）へ送り出される。
【００１１】
ユーザインタフェース１１７は、ポンプ・システム１００の制御を容易にすべく臨床医が使用するためのディスプレイ、ボタン、コントロール等を含むことができる。
【００１２】
ハウジング１１５は、以下に詳細に説明されるように、ポンプ１１０の部品を収容するように構成される。
【００１３】
ドア１１９は、ハウジング１１５に対して、取り外し可能であるか、又は蝶番で取り付けられる。例えば、ドア１１９は、ポンプ１１０の正面全体であり、ハウジング１１５内へのアクセスを提供するためにハウジング１１５から取り外し可能である。ドア１１９（又は蓋）は、ハウジング１１５内からの部品の適切な除去及び／又は配置のためのアクセスを可能にする任意の寸法、形状、配向であり得ることが理解されるべきである。
【００１４】
図１Ｂは、ポンプ・システム１００の実施例を図示する。特に、図１Ｂは、図１Ａと同じ図を図示するが、ドア１１９が図示されていない。従って、ハウジング１１５内の、ポンプ１１０の部品が図示される。
【００１５】
ポンプ１１０は、ポンプ・セグメント１３０と、ポンプ・フィンガ１３１と、非ピンチ・バルブ１４０と、結合器１５０も含む。
【００１６】
ポンプ・セグメント１３０は、フィンガ１３１によって簡単に圧縮されるように構成される。例えば、ポンプ・セグメント１３０は、シリコンゴム管である。
【００１７】
一実施例において、管１２０及び１２１は、同じ材料から成り、ポンプ・セグメントは、シリコンなどの、より柔軟な材料から成る。ポンプ・セグメント１３０は、フィンガ１３１によって圧縮されることを促す任意の材料とすることができることが理解されるべきである。
【００１８】
ポンプ・セグメント１３０は、非ピンチ・バルブ１４０を介して管１２０に流体接続され、結合器１５０を介して管１２１に流体接続される。例えば、一実施例において、管１２１の外径は、インタフェース１５２の内径と一致する。同様に、セグメント１３０の外径は、インタフェース１５１の内径と一致する。別の実施例において、ポンプ・セグメント１３０の内径は、インタフェース１４４の外径と一致する。同様に、管１２０の内径は、インタフェース１４３の外径と一致する。ポンプ・セグメント１３０は、任意の結合手段によって管１２０及び１２１に流体接続されることができることが理解されるべきである。
【００１９】
一実施例において、結合器１５０は、２つの異なる管（例えば、管１２１及び別の管（図示せず））に適合する「Ｙ」結合器である。例えば、管１２１は、第１のタイプの流体（例えば、第１のタイプの薬剤）を搬送し、他方の管は、第２のタイプの流体（例えば、第２のタイプの薬剤）を搬送する。従って、異なるタイプの流体が結合器１５０において混合してもよく、流体の混合物が、ポンプ・システム１００によって送り出される。
【００２０】
ポンプ・フィンガ１３１は、ポンプ・セグメント１３０を圧縮して流体を送り出すように構成される。例えば、フィンガ１３１は、順番にポンプ・セグメント１３０を圧迫する。特に、フィンガ１３１は、ポンプ・セグメント１３０をプラテン（図示せず）に対して圧縮する。結果として、流体流１２５が生成される。
【００２１】
非ピンチ・バルブ１４０は、管（例えば、１２０）を挟むことを必要とせずに、ポンプ・システム１００における流体流１２５を制御するように構成される。換言すれば、非ピンチ・バルブ１４０は、管の外面に圧力を加えることなく、流体流１２５を制御し、その結果、当該管を圧縮しない。一実施例において、非ピンチ・バルブ１４０は、止水栓である。非ピンチ・バルブ１４０は、管を圧縮せずに流体流１２５を制御する任意のバルブ・システムとすることができる。非ピンチ・バルブ１４０及び接続される管（例えば、管１２０）は、管を損傷せずに閉鎖位置又は開放位置において出荷され、及び／又は保管されることができることが認識されるべきである。
【００２２】
図２Ａは、非ピンチ・バルブ２４０Ａの実施例を図示する。非ピンチ・バルブ２４０Ａは、ハウジング２１０と、ハウジング２１０のポート２４１及び２４２と、シャフト２２０と、チャネル２５０と、ハンドル２３０とを含む。ポート２４１及び２４２は、ハウジング２１０に対する、流体のための穴部又はアクセス・ポイントである。
【００２３】
一般に、チャネル２５０がポート２４１及び２４２と一直線になる場合、流体流１２５は、チャネル２５０を通って流れ、続いて非ピンチ・バルブ２４０Ａを通って流れる。対照的に、チャネル２５０がポート２４１及び２４２と一直線にならない場合、流体流１２５は、チャネル２５０を通って流れず、従って、非ピンチ・バルブ２４０Ａを通って流れない。
【００２４】
一実施例において、ハウジング２１０及びシャフト２２０は、円柱状である。例えば、流体流１２５は、チャネル２５０がポート２４１及び２４２と一直線にならない場合、停止される。そのような例において、臨床医は、チャネル２５０がポート２４１及び２４２と一直線にならないようにハンドル２３０を（例えば、図示される位置から９０度）回転させる。従って、シャフト２２０は、流体流が停止され、チャネル２５０を通って流れないように、ポート２４２及び２４１を密封する。
【００２５】
チャネル２５０は、流体流１２５の方向に対して垂直に回転することが理解されるべきである。更に、インタフェース１４３及び１４４とチャネル２５０とは、互いに同軸的又は共線的である。従って、流体流１２５は、シャフト２２０の２つの別個の位置において発生することができる。第１の位置は、図示の通りである。第２の位置は、（図示される位置から）１８０度回転されたシャフト２２０である。
【００２６】
一実施例において、ポート２４１及び２４２並びにチャネル２５０の断面形状（例えば、円形）及び直径は、同じである。別の実施例において、チャネル２８０の断面形状は、流体流１２５の手動調整を容易にするために、ポート２４１及び２４２の断面形状とは異なる（例えば、楕円形、ティア・ドロップ形等）。
【００２７】
様々な実施例において、ハウジング２１０及びシャフト２２０は、剛性又は半剛性の材料から成る。
【００２８】
図２Ｂは、非ピンチ・バルブ２４０Ｂの実施例を図示する。非ピンチ・バルブ２４０Ｂは、上述したような非ピンチ・バルブ２４０Ａと類似している。しかしながら、ポート２４１及び２４２が、同軸的ではなく、チャネル２５０が、シャフト２２０内で斜めに配置されている。
【００２９】
従って、一実施例において、チャネル２５０は、１つの位置においてポート２４１及び２４２と一直線にされる。例えば、シャフト２２０が（図示される位置以外の）任意の他の位置に回転される場合、流体は、チャネル２５０を通って流れない。
【００３０】
図２Ｃは、非ピンチ・バルブ２４０Ｃの実施例を図示する。非ピンチ・バルブ２４０Ｃは、上述したような非ピンチ・バルブ２４０Ａと類似している。しかしながら、ハウジング２１０が、流体流１２５に対して斜めに配置されている。
【００３１】
従って、一実施例において、チャネル２５０は、単一の位置においてポート２４１及び２４２と一直線にされる。例えば、シャフト２２０が（図示される位置以外の）任意の他の位置に回転される場合、流体は、チャネル２５０を通って流れない。
【００３２】
図２Ｄは、非ピンチ・バルブ２４０Ｄの実施例を図示する。非ピンチ・バルブ２４０Ｄは、上述したような非ピンチ・バルブ２４０Ａと類似している。しかしながら、ポート２４１及び２４２が、互いに同軸的ではない。
【００３３】
図２Ｅは、非ピンチ・バルブ２４０Ｅの実施例を図示する。非ピンチ・バルブ２４０Ｅは、上述したような非ピンチ・バルブ２４０Ａと類似している。しかしながら、流体流１２５が、ハウジング２１０（又はシャフト２２０）の軸を通って流れない。
【００３４】
図３Ａから図３Ｂは、非ピンチ・バルブ３４０の実施例を図示する。非ピンチ・バルブ３４０は、ハウジング３１０と、ポート３４１及び３４２と、摺動可能なカバー３３０とを含む。様々な実施例において、ハウジング３１０及び摺動可能なカバー３３０は、剛性又は半剛性の材料から成る。
【００３５】
摺動可能なカバー３３０は、流体流１２５を制御するために、ハウジング３１０に対して摺動するように構成される。摺動可能なカバー３３０は、チャネル３３５を含む。
【００３６】
図３Ａは、閉鎖位置における非ピンチ・バルブ３４０を図示する。例えば、摺動可能なカバー３３０は、流体流１２５が非ピンチ・バルブ３４０を通って流れることができないように、ポート３４１及び３４２を密封する。
【００３７】
図３Ｂは、開放位置における非ピンチ・バルブ３４０を図示する。例えば、摺動可能なチャネル３３５は、ポート３４１及び３４２と一直線にされる。従って、流体流１２５は、チャネル３３５を介して非ピンチ・バルブ３４０を通って流れる。チャネル３３５は、ポート３４１とポート３４２との間で水を搬送することが可能である、摺動可能なカバー３３０上の任意の場所又は配向における任意の形体（例えば、空隙、隙間、溝等）とすることができることが認識されるべきである。
【００３８】
特に、流体流１２５は、ハウジング３１０と摺動可能なカバー３３０との間でチャネル３３５を介して発生する。そのため、流体流１２５は、ハウジング３１０の外面又は周辺に沿って流れる。
【００３９】
一実施例において、ハウジング３１０及び摺動可能なカバー３３０は、円柱状である。
【００４０】
別の実施例において、チャネル３６０及び３６１は、ハウジング３１０の重心軸に沿って配置される。従って、摺動可能なカバー３３０は、ハウジング３１０並びにチャネル３６０及び３６１に対して軸方向に摺動する。また、摺動可能なカバー３３０は、流体流１２５の一部に対して軸方向に摺動する。
【００４１】
図４Ａから図４Ｃは、それぞれ非ピンチ・バルブ４４０Ａから４４０Ｃの実施例を図示する。非ピンチ・バルブ４４０Ａから４４０Ｃは、上述したような非ピンチ・バルブ３４０と類似している。しかしながら、とりわけ、非ピンチ・バルブ４４０Ａから４４０Ｃの各々は、ロック機構を含む。
【００４２】
ここで、図４Ａを参照すると、非ピンチ・バルブ４４０Ａは、摺動可能なカバー４３０と、インタフェース４４３及び４４４と、ハンドル４５０及び４５２と、視覚インジケータ４８０と、ロック機構４６０Ａとを含む。
【００４３】
インタフェース４４３及び４４４は、管を非ピンチ・バルブ４４０Ａに結合するように構成される。
【００４４】
ハンドル４５０は、摺動可能なカバー４３０を非ピンチ・バルブ４４０Ａの軸に沿って回転することを容易にする。
【００４５】
ハンドル４５２は、臨床医が非ピンチ・バルブ４４０Ａをハウジング１１５内へ設置し、又は据え付けることを容易にする。例えば、臨床医は、非ピンチ・バルブ４４０Ａをハウジング１１５内へ設置する間に、又は非ピンチ・バルブ４４０Ａをハウジング１１５から除去する間に、ハンドル４５２を握る。
【００４６】
視覚インジケータ４８０は、臨床医が非ピンチ・バルブ４４０Ａをハウジング１１５内に適切に設置することを容易にするように構成されており、これは、以下に詳細に説明されるであろう。
【００４７】
ロック機構４６０Ａは、非ピンチ・バルブ４４０Ａが開放位置又は閉鎖位置のどちらか（又は、二分の一の流量など、任意の他の指定された位置）にロックされるように、スロット４６１Ａに据え付けられるタブである。非ピンチ・バルブ４４０Ａを解除するために、ロック機構４６０Ａは、スロット４６２Ａに沿って動くことが可能であるように、スロット４６１から押し出される。
【００４８】
ここで、図４Ｂを参照すると、ロック機構４６０Ｂは、非ピンチ・バルブ４４０Ｂが開放位置又は閉鎖位置のどちらかにロックされるようにスロット４６３Ｂに据え付けられるタブ４６２Ｂを含む。非ピンチ・バルブ４４０Ｂを解除するために、押下具４６１Ｂは、タブ４６２Ｂがスロット４６３Ｂから引き離されるように押下げられる。
【００４９】
非ピンチ・バルブ４４０Ｂは、目盛りマーク４７０も含む。各目盛りマークは、特定の流量を示す。従って、目盛りマークは、非ピンチ・バルブ４４０Ｂを通る流量を制御することを容易にする。更なる実施例において、目盛りマーク４７０は、触覚表示及び／又は可聴表示と結合される。例えば、非ピンチ・バルブが目盛りマークに従って作動される場合、臨床医は、触覚応答、及び／又はカチッという音などの可聴応答を感じ得る。
【００５０】
ここで、図４Ｃを参照すると、ロック機構４６０Ｃは、非ピンチ・バルブ４４０Ｃが開放位置又は閉鎖位置のどちらかにロックされるようにスロット４６３Ｃに据え付けられるタブ４６２Ｃを備える。非ピンチ・バルブ４４０Ｂを解除するために、押下具４６１Ｃは、タブ４６２Ｃがスロット４６３Ｃから引き離されるように押下げられる。
【００５１】
様々な実施例において、非ピンチ・バルブ（例えば、非ピンチ・バルブ２４０Ａ）は、ドア１１９の閉鎖に応じて開放位置に作動される。特に、ドア１１９は、ハンドル（例えば、ハンドル２３０）と機械的に係合する係合機構（図示せず）を含む。例えば、係合機構は、ドア１１９が所定位置に押し込まれる場合、非ピンチ・バルブが閉鎖位置から開放位置に作動されるように、ハンドルと係合し、ハンドルを作動させる特定のべベル機構を有する。
【００５２】
別の実施例において、非ピンチ・バルブ（例えば、非ピンチ・バルブ２４０Ａ）は、ドア１１９の開放に応じて閉鎖位置に作動される。特に、ドア１１９は、ハンドル（例えば、ハンドル２３０）と機械的に係合する係合機構（図示せず）を含む。例えば、係合機構は、ドア１１９が開放され、又はハウジング１１５から除去される場合、非ピンチ・バルブが開放位置から閉鎖位置に作動されるように、ハンドルと機械的に係合する。
【００５３】
非ピンチ・バルブはポンプを使用せずに利用されることができることが認識されるべきである。例えば、重力送り式の流体流システムにおいて、非ピンチ・バルブは、患者への流体の流れを制御するために利用されることができる。
【００５４】
図５は、ポンプ・セグメント・フレーム・システム５００の実施例を図示する。システム５００は、非ピンチ・バルブ１４０と、結合器１５０と、ポンプ・セグメント１３０とを含む。
【００５５】
フレーム５１０は、ポンプ・セグメント１３０が伸長することを防止するように構成される。
【００５６】
特に、ポンプ・セグメント１３０の遠位端は、剛性又は半剛性の材料から成るフレーム５１０の対応する遠位端に取り付けられる。従って、ポンプ・セグメント１３０は、伸長することを防止される。
【００５７】
対照的に、従来のシステムにおいて、例えば、臨床医がポンプ・セグメントをハウジング内に設置するときに、ポンプ・セグメントが伸長される場合、ポンプ・セグメントは、ハウジング内に不適切に設置される可能性がある。結果として、ポンプ・システムの動作は、悪影響を受ける。
【００５８】
一実施例において、非ピンチ・バルブ１４０は、フレーム５１０の遠位端に配置される。そのため、ポンプ・セグメント１３０の遠位端は、非ピンチ・バルブ１４０に取り付けられる。
【００５９】
別の実施例において、結合器１５０は、フレーム５１０の遠位端に取り付けられる。そのため、ポンプ・セグメント１３０の遠位端は、結合器１５０に取り付けられる。
【００６０】
システム５００は、視覚インジケータ５８０及び５８１も含む。一般に、視覚インジケータ５８０及び５８１は、ハウジング１１５内へのシステム５００の適切な設置を容易にする。例えば、ハウジング１１５は、視覚インジケータ５８０及び５８１に対応する視覚インジケータを含む。ハウジング１１５内の対応する視覚インジケータは、視覚インジケータ５８０及び５８１に対応する外形、凹部等とすることができる。結果として、システム５００は、ポンプ・システム１００が正確に動作するように、ハウジング１１５内に適切に設置される。
【００６１】
様々な実施例において、ハウジング１１５内の対応する視覚インジケータは、部品の色又は外形（例えば、非ピンチ・バルブ１４０、フレーム５１０、結合器１５０等の外形）とすることができる。
【００６２】
図６は、ポンプ・セグメント・フレーム・システム６００の実施例の分解等角図を図示する。システム６００は、非ピンチ・バルブ１４０と、結合器６５０と、ポンプ・セグメント１３０とを含む。
【００６３】
フレーム６１０は、上述したように、ポンプ・セグメント１３０が伸長することを防止するように構成される。例えば、ポンプ・セグメント１３０の遠位端は、剛性又は半剛性の材料から成るフレーム６１０の対応する遠位端に取り付けられる。従って、ポンプ・セグメント１３０は、伸長することを防止される。
【００６４】
フレーム６１０は、プラテンとなるように更に構成される。例えば、フィンガ１３１は、ハウジング１１５内で延伸し、ポンプ・セグメント１３０をフレーム６１０に対して圧縮する。更に、フレーム６１０に対するポンプ・セグメント１３０の設置は、送出及び圧力感知を容易にするために（例えば、ポンプ・セグメント１３０とフレーム６１０との間に）一定の間隙を提供する。
【００６５】
一実施例において、フレーム６１０は、ポンプ・システム１００の使用期間中にポンプ・セグメント１３０を見ることができるように、窓を含む。
【００６６】
一実施例において、非ピンチ・バルブ（例えば、非ピンチ・バルブ２４０Ａ）は、フレーム６１０の遠位端に配置される。そのため、ポンプ・セグメント１３０の遠位端は、非ピンチ・バルブに取り付けられる。そのような実施例において、フレーム６１０は、ハウジング２１０とハンドル２３０との間に挿入される。
【００６７】
別の実施例において、結合器６５０は、フレーム６１０の遠位端に取り付けられる。そのため、ポンプ・セグメント１３０の遠位端は、結合器６７１に取り付けられる。
【００６８】
システム６００は、ポンプ・セグメント１３０をハウジング２１０及び結合器６５０上で保持することを容易にする保持具６７０及び６７１も含む。特に、保持具６７０及び６７１は、インタフェース１４４及び結合器６５０上でポンプ・セグメント１３０の遠位端をクランプする。
【００６９】
ポンプ・セグメント１３０は、別のポンプ・セグメントと置換されてもよいことが理解されるべきである。幾つかの場合において、新たなポンプ・セグメントの特性（例えば、直径、材料等）は、置換されるポンプ・セグメントとは異なり得る。ポンプ・セグメントの特性に適合するために、プラテン（例えば、フレーム６１０）又は圧力センサとポンプ・フィンガとの間の間隙は、調整されることを必要とし得る。従って、従来のポンプ・システムにおいて、ポンプ・システムのハードウェア／ソフトウェアは、新たなポンプ・セグメントの新たな特性に適合するためにアップグレードされることを必要とされ得る。
【００７０】
しかしながら、様々な実施例において、フレーム６１０の厚さは、調整可能である。即ち、ある厚さのフレーム６１０は、新たなポンプ・セグメントの特性に適合するように、異なる厚さのフレームと交換されることができる。一実施例において、新たなフレームは、プラテン（例えば、フレーム６１０）又は圧力センサとポンプ・フィンガとの間の間隙における変化に適合するように、（元のフレームとは）異なる厚さを有する。それ故に、ポンプ・システムのハードウェア／ソフトウェアは、ポンプ・セグメント１３０を異なる特性を有する別のポンプ・セグメントと置換することに応じて更新されることを必要とされない。
【００７１】
図７は、流体流を制御するための方法７００の実施例を図示する。幾つかの実施例において、方法７００は、少なくとも、図１Ａに図示されるようなシステム１００によって実行される。
【００７２】
方法７００の７１０において、摺動可能なカバーを非ピンチ・バルブのハウジング上で軸方向に回転させることによって、当該非ピンチ・バルブは、閉鎖位置に作動され、非ピンチ・バルブは、非ピンチ・バルブに取り付けられた管を挟むことを必要とせずに、流体の流れを制御する。例えば、非ピンチ・バルブ３４０は、流体がシステム１００を通って流れるように、最初は手動で閉鎖位置に作動される。特に、摺動可能なカバー３３０は、非ピンチ・バルブ３４０のハウジング３１０上で手動で軸方向に回転される。従って、非ピンチ・バルブ３４０は、当該バルブに取り付けられる管（例えば、管１２０）を挟むことを必要とせずに、システム１００を通る流れを制御することが可能である。
【００７３】
７２０において、非ピンチ・バルブは、輸液ポンプのハウジング内に設置される。例えば、非ピンチ・バルブ２４０Ａは、輸液ポンプのハウジング１１５内に設置される。
【００７４】
７３０において、輸液ポンプのドアは、ハウジングへのアクセスを閉鎖するために、閉鎖される。例えば、ドア１１９は、ハウジング１１５へのアクセスを制限するために、ハウジング１１５上に設置される。
【００７５】
７４０において、ドアの閉鎖に応じて、非ピンチ・バルブは、流体が非ピンチ・バルブを通って流れるように、ドアによって開放位置に作動される。例えば、ハンドル２３０は、流体流１２５が非ピンチ・バルブ２４０Ａを通って流れるように、ドア１１９の機構によって作動される。
【００７６】
一実施例では、７５０において、非ピンチ・バルブは、ＩＶに流体接続される。例えば、非ピンチ・バルブ４４０Ｂは、ＩＶバッグ内の流体が患者へ送り出されることが可能であるように、ＩＶに流体接続される。
【００７７】
一実施例では、７６０において、非ピンチ・バルブは、患者に流体接続される。例えば、非ピンチ・バルブ４４０Ｂは、ＩＶバッグ内の流体がシステム１００を介して患者へ送り出されることが可能であるように、患者（図示せず）に流体接続される。
【００７８】
本開示の様々な実施例が、上述されている。本明細書において説明されるような実施例は、単独で又は互いに組み合わせて、利用され、又は実施されることができることが認識されるべきである。本開示は特定の実施例において説明されてきたが、特許請求の範囲に記載される如何なる発明も、そのような実施例によって限定されると解釈されるべきではなく、むしろ、添付の特許請求の範囲に従って解釈されるべきであることが認識されるべきである。
【図１Ａ】
0006378174.tif 000002
【図１Ｂ】
0006378174.tif 000003
【図２Ａ】
0006378174.tif 000004
【図２Ｂ】
0006378174.tif 000005
【図２Ｃ】
0006378174.tif 000006
【図２Ｄ】
0006378174.tif 000007
【図２Ｅ】
0006378174.tif 000008
【図３Ａ】
0006378174.tif 000009
【図３Ｂ】
0006378174.tif 000010
【図４Ａ】
0006378174.tif 000011
【図４Ｂ】
0006378174.tif 000012
【図４Ｃ】
0006378174.tif 000013
【図５】
0006378174.tif 000014
【図６】
0006378174.tif 000015
【図７】
0006378174.tif 000016